(57)【要約】【課題】機器を収納した場合であってもケース全体の厚みを可能な限り薄くすることができると共に、ケース本体を立て掛けて設置する際に蓋部に凹凸部を形成することなく、ケース本体を立掛支持することができる保護ケースを提供すること。【解決手段】電子辞書１００の背面の少なくとも一部を覆う背面部３０と、背面部３０と載置面Ｐとの間に設けられて、電子辞書１００を載置面Ｐ上に立掛支持する第１支持部６０と、電子辞書１００の立掛時における下端部１１１と載置面Ｐとの間に介在して、電子辞書１００を支持し、載置面Ｐ側の面が平面状に形成された平面状部を有する第２支持部４５とを備える。【選択図】図１
2019054097.tif 000002
【特許請求の範囲】
【請求項１】
機器の保護ケースであって、
前記保護ケースが前記機器へ装着された状態で前記機器の背面の一部を覆う被覆部と、
前記機器が載置される載置面に対して当該機器を支持するときに、前記機器が前記載置面に対して立ち上がるように前記機器を支持する第１支持部と、
前記載置面側の面が平面状に形成された平面状部を有し、前記機器を支持するときに、当該機器の下端部と前記載置面との間に介在して、前記平面状部の前記載置面側の面が前記載置面と略平行になるように前記機器を支持する第２支持部と、を備える保護ケース。
【請求項２】
前記第１支持部の一端側は、前記被覆部に対して回動可能に接続されている請求項１に記載の保護ケース。
【請求項３】
前記第１支持部の一端側と前記被覆部との間には、第１可撓部が設けられている請求項１に記載の保護ケース。
【請求項４】
前記保護ケースが前記機器へ装着された状態で前記機器の正面の少なくとも一部を覆う位置へ設置可能であり、かつ、前記第１支持部の他端側に回動可能に接続された蓋部をさらに備える請求項１に記載の保護ケース。
【請求項５】
前記蓋部は、前記第１支持部によって前記機器が前記載置面に対して支持されている状態で、前記第２支持部と前記載置面との間に介在可能に設けられている請求項４に記載の保護ケース。
【請求項６】
前記第１支持部の他端側と前記蓋部との間に第２可撓部が介在する請求項４に記載の保護ケース。
【請求項７】
機器の保護ケースであって、
前記保護ケースが前記機器へ装着された状態で前記機器の背面の一部を覆う保持部を含み、前記保持部に開口部が形成された第１被覆部と、
前記第１被覆部の前記開口部内にその一部が配置され、前記第１被覆部に第１可撓部を介して接続された第２被覆部と、
前記第２被覆部に第２可撓部を介して回動可能に接続された蓋部を備え、
前記第１被覆部の厚みと前記第２被覆部の厚みとが略同一である保護ケース。
【請求項８】
前記保持部は、前記機器の下端面をさらに覆う下端面保持部を有し、前記開口部が前記下端面保持部まで延在して形成されている請求項７に記載の保護ケース。
【請求項９】
前記下端面保持部の厚みは、前記第２可撓部の厚みと、略同一に形成されている請求項８に記載の保護ケース。
【請求項１０】
前記保護ケースが前記機器へ装着された状態で前記蓋部を前記機器の正面に対向させて配置させた際、前記第２可撓部のうち前記機器と対向する部分の少なくとも一部が、前記機器の前記下端面に当接する請求項９に記載の保護ケース。
【請求項１１】
前記保護ケースが前記機器へ装着された状態で前記蓋部を前記機器の正面に対向させて配置させた際、前記第２被覆部および前記第２可撓部は、前記機器の側面視において前記第１被覆部に重なり合う寸法である請求項９に記載の保護ケース。
【発明の詳細な説明】
【技術分野】
【０００１】
本発明は、携帯型の電子機器を保護すると共に、スタンドとして兼用できる保護ケースに関する。
【背景技術】
【０００２】
スマートフォンや電子辞書等の携帯型の電子機器を保護するための保護ケースが知られている。このような保護ケースは、例えば、電子機器の筐体を嵌め込んで収納するケース本体と、このケース本体に開閉自在に取り付けられた蓋部を有している。蓋部は、閉じることで電子機器の液晶表示パネルの表面に重なり、外部からの衝撃から液晶表示パネルを保護することができる（例えば、特許文献１参照。）。ケース本体は樹脂や金属製等の比較的硬い素材で形成され、蓋部は柔軟性のある素材で形成される場合があった。
【０００３】
保護ケースは、蓋部を屈曲させてケース本体に引っ掛けて立て掛けることもできるように構成されている場合がある。この場合、蓋部に対しケース本体が所定位置いで留まるように蓋部側に凹凸部を形成し、ケース本体の側面を係合させるようにしていた。
【先行技術文献】
【特許文献】
【０００４】
【特許文献１】特開２０１６−０４０８９８号公報
【発明の概要】
【発明が解決しようとする課題】
【０００５】
上述した保護ケースでは、装着された携帯端末を立て掛け支持するため、蓋部に保持部を形成する必要があった。また、背面側に内枠および背面部が設けられているので、全体的な厚みが大きくなっていた。
【課題を解決するための手段】
【０００６】
本発明の一態様として、機器の保護ケースは、前記保護ケースが前記機器へ装着された状態で前記機器の背面の一部を覆う被覆部と、前記機器が載置される載置面に対して当該機器を支持するときに、前記機器が前記載置面に対して立ち上がるように前記機器を支持する第１支持部と、前記載置面側の面が平面状に形成された平面状部を有し、前記機器を支持するときに、当該機器の下端部と前記載置面との間に介在して、前記平面状部の前記載置面側の面が前記載置面と略平行になるように前記機器を支持する第２支持部と、を備える。
【０００７】
本発明の一態様として、機器の保護ケースは、前記保護ケースが前記機器へ装着された状態で前記機器の背面の一部を覆う保持部を含み、前記保持部に開口部が形成された第１被覆部と、前記第１被覆部の前記開口部内にその一部が配置され、前記第１被覆部に第１可撓部を介して接続された第２被覆部と、前記第２被覆部に第２可撓部を介して回動可能に接続された蓋部を備え、前記第１被覆部の厚みと前記第２被覆部の厚みとが略同一である。
【図面の簡単な説明】
【０００８】
【図１】本発明の一実施の形態に係る保護ケースに電子辞書を嵌合させて立掛支持させた状態を示す側面図。
【図２】同保護ケースに電子辞書を嵌合させて立掛支持させた状態を示す正面図。
【図３】同保護ケースに電子辞書を嵌合させて収納した状態を図２におけるＡ−Ａ線で切断し、矢印方向に示す断面図。
【図４】同保護ケースを示す正面図。
【図５】同保護ケースを示す背面図。
【図６】同保護ケースのケース本体を示す側面図。
【図７】同保護ケースを図４におけるＢ−Ｂ線で切断し、矢印方向に見た断面図。
【図８】同保護ケースの下端部を示す側面図。
【図９】同保護ケースの変形例を示す背面図。
【発明を実施するための形態】
【０００９】
図１〜図８は本発明の一実施の形態に係る保護ケース１０についての説明図である。図１１に示すように、保護ケース１０は、図３に示すような電子辞書１００の保護および載置面Ｐ上への立掛支持（スタンドとしての利用）を選択的に行う機能を有している。なお、これらの図中１００は電子辞書（機器）を示している。図１および図２に示すように、電子辞書１００は、略直方体状の筐体１１０を備えている。なお、図中１１１は筐体１１０の下端面を示している。この筐体１１０の正面側には、液晶表示パネル１２０およびスピーカ１３０が設けられている。また、上側面には電源等の操作スイッチ１４０、右側面にはボリューム等の操作スイッチ１５０、正面はカーソル等の操作スイッチ１６０が設けられている。
【００１０】
図１に示すように、保護ケース１０は、電子辞書１００の背面側を覆う皿形のケース本体（被覆部／背面保持部）２０と、このケース本体２０に取り付けられた板状の可動支持板５０を備えている。ケース本体２０は例えば樹脂材製、可動支持板５０は例えば人工スエード製である。ケース本体２０と可動支持板５０はほぼ同じ厚さで形成されている。なお、図１中Ｇは、電子辞書１００を保護ケース１０に嵌め込んだ状態における電子辞書１００の重心位置を示している。
【００１１】
ケース本体２０は、電子辞書１００の背面に対向した面を形成する長方形板状の背面部（第１被覆部）３０と、この背面部３０の外縁に沿って正面視で手前側に向けて立設された外縁壁部４０を備えている。
【００１２】
図４に示すように、背面部３０は、保護ケース１０が電子辞書１００へ装着された状態で、電子辞書１００の背面の一部を覆う形状とされている。背面部３０には、下縁側から切欠された長方形状の開口部３１が形成されている（図４参照）。背面部３０に接続された第１支持部６０は、電子辞書１００が載置される載置面Ｐに対して電子辞書１００を支持するときに、電子辞書１００が載置面Ｐに対して立ち上がるように電子辞書１００を支持する。なお、背面部３０の開口部３１内には、背面部３０に接続された第１支持部６０の一部が格納される。上述したように、ケース本体２０と可動支持板５０はほぼ同じ厚さで形成されていることから、背面部３０の厚さと第１支持部６０の厚さは略同一である。
【００１３】
外縁壁部４０は、図２中上側に位置する上縁壁部４１、下側に位置する下縁壁部（下端面保持部）４２、右側に位置する右縁壁部４３、左側に位置する左縁壁部４４を備えている。下縁壁部４２の厚さは、第２可撓部６４の厚さと、略同一に形成されている。下縁壁部４２は、図２中左右方向に切欠部４２ａが形成されている。切欠部４２ａは開口部３１が下縁壁部４２まで延在して形成されている。切欠部４２ａの幅は、第２可撓部６４の図２中左右方向における幅よりも僅かに大きく形成されている。
【００１４】
図５〜図７に示すように、背面部３０の開口部３１の上端に沿った位置には、第１支持部６０の一端側６１が差し込まれる差込部３２が形成されている。差込部３２の上端部にはリブ３３が形成されている。
【００１５】
可動支持板５０は、図４に示すように、板状に形成され、横方向の寸法が開口部３１に収まる寸法に設定されると共に電子辞書１００の背面側に対向する第１支持部（第２被覆部）６０と、この第１支持部６０の図１中下端側に第２可撓部６４を介して一体的に設けられた蓋部７０とを備えている。すなわち、ケース本体２０と載置面Ｐとの間には、電子辞書１００を載置面Ｐ上に立掛支持する第１支持部６０が位置している。また、下縁壁部４２（電子辞書１００の立て掛けた際における下端部１１１に対向）の外側面と載置面Ｐとの間には、電子辞書１００を支持する第２支持部４５が設けられている。第２支持部４５の下面（電子辞書１００を載置面Ｐ上へ立掛支持したときに当該載置面Ｐに対向する側の面）は、平面状に形成されている。また、下縁壁部４２および第２支持部４５は背面部３０の開口部３１を挟んで左右両側にそれぞれ１つずつ設けられている。
【００１６】
第１支持部６０の一端側６１は厚さ方向に２分割され、上述した差込部３２に差し込まれる。また、一端側６１の近傍には、図１における載置面Ｐと平行な直線状に折曲自在な第１可撓部６３が形成されることで、ケース本体２０に対して回動可能に接続されている。さらに、第１支持部６０の他端側６２は、載置面Ｐ側に向けて配置されている。
【００１７】
第１支持部６０の他端側６２と蓋部７０との間に、載置面Ｐと平行な直線状に第２可撓部６４が設けられている。蓋部７０は、第１支持部６０の他端側に、第１支持部６０に対して第２可撓部６４の位置で回動可能に接続されている。蓋部７０は、電子辞書１００の背面が第１支持部６０によって載置面Ｐに対して立掛支持されているときに、第２支持部４５と載置面Ｐとの間に介在可能に設けられている。また、蓋部７０は、保護ケース１０が電子辞書１００へ装着された状態で電子辞書１００の正面の少なくとも一部を覆う位置へ設置可能であり、かつ、第１支持部６０の他端側に回動可能に接続されている。蓋部７０の図１中上面側を第１の主面７１、下面を第２の主面と称する。
【００１８】
また、図３に示すように、第１支持部６０を第１可撓部６３および第２可撓部６４の位置で折曲させず、下縁壁部４２に沿って第２可撓部６４を巻き付けて、蓋部７０をケース本体２０の正面側に位置させると、第１の主面７１は液晶表示パネル１２０と対向する。これにより、蓋部７０により、液晶表示パネル１２０を保護する。なお、蓋部７０の先端７０ａは、スピーカ１３０を塞がない寸法に設定されている。
【００１９】
保護ケース１０が電子辞書１００へ装着された状態で、蓋部７０を電子辞書１００の正面に対向させて配置させた際、第１支持部６０は、電子辞書１００の側面視において背面部３０に重なり合う寸法である。
【００２０】
このように構成された保護ケース１０によれば、収納・保護と立掛支持（スタンド）を選択的に行うことができる。すなわち、図１に示すような立掛支持を行う場合、第１可撓部６３および第２可撓部６４を適切に回動させることで、ケース本体２０に嵌合された電子辞書１００の背面が第１支持部６０によって載置面Ｐに対して支持される。また、ケース本体２０および電子辞書１００の自重によってケース本体２０の第２支持部４５が蓋部７０側へと付勢されることで、第２支持部４５の平面状の下面が蓋部７０の第１の主面７１に当接する状態になり、ひいては、第２支持部４５の平面状の下面が載置面Ｐに平行に配置される。つまり、第２支持部４５は、載置面Ｐ側の面が平面状に形成された平面状部を有し、電子辞書１００を支持するときに、電子辞書１００の下端部と載置面Ｐとの間に介在して、前記平面状部の載置面Ｐ側の面が載置面Ｐと略平行になるように電子辞書１００を支持する。これにより、電子辞書１００は、載置面Ｐに対して立掛支持されているときに、当該載置面Ｐに対する角度が一定に保持される。
【００２１】
また、電子辞書１００の重心Ｇは、第１支持部６０の表面を通る平面よりも下側にある、即ち、電子辞書１００の重心Ｇは、第１支持部６０の表面を通る平面と載置面Ｐがなす鋭角の範囲に存在するため、保護ケース１０によって電子辞書１００を立掛支持したときに安定する。
【００２２】
一方、収納時においては、第１可撓部６３および第２可撓部６４を、ケース本体２０の下端面に沿って第２可撓部６４を巻き付ける。そのようにして、保護ケース１０が電子辞書１００へ装着された状態で、蓋部７０を電子辞書１００の正面に対向させて配置させた際、第２可撓部６４のうち電子辞書１００に対向する少なくとも一部が、電子辞書１００の下端部１１１に当接する。これにより、蓋部７０は液晶表示パネル１２０面上に積層されて、保護が可能となる。また、背面部３０と第１支持部６０の厚さ、および、下縁壁部４２と第２可撓部６４の厚さはそれぞれほぼ同じ厚さとなっているため、ケース本体２０の側面視では、第１支持部６０の第１可撓部６３と第２可撓部６４との間の部分は背面部３０に隠れて見えなくなり、第２可撓部６４は下縁壁部４２に隠れて見えなくなる。したがって、見栄えが良く、また、ケース本体２０の図３中上下方向において寸法が大きくなることがないため、コンパクトな概観となる。
【００２３】
図９は変形例に係る保護ケース１０Ａを示す背面図である。なお、図９において図１〜図８と同一機能部分には同一符号を付し、その詳細な説明は省略する。保護ケース１０Ａにおいては、開口部３１の代わりに一対の開口部３１Ａが設けられたケース本体２０Ａを有し、可動支持板５０の代わりに２列の可動支持板５０Ａを有し、第１支持部６０の代わりに、一対の第１支持部６０Ａが設けられている。これら一対の第１支持部６０Ａは一対の開口部３１Ａに挿入される、一対の開口部３１Ａの開口面積の合計は、開口部３１の開口面積よりも小さい。
【００２４】
このように形成された保護ケース１０Ａにあっては、ケース本体２０Ａが立掛支持された状態において、ケース本体２０よりも重心が低くなるため、安定性を向上させることができる。
【００２５】
なお、本発明は前記実施の形態に限定されるものではない。例えば、上述した例では、第２支持部４５と載置面Ｐとの間には蓋部７０が設けられているが、蓋部７０を省略して、載置面Ｐ上に第２支持部４５を直接載置させるようにしてもよい。また、上述した例では、電子辞書１００の背面が第１支持部６０によって載置面Ｐに対して支持されていて、かつ、第２支持部４５を蓋部７０の中央部に当接させているが、先端部７０ａに当接させた場合に、電子辞書１００の載置面Ｐに対する角度が、他の角度に保持させるように寸法を設定してもよい。また、第２支持部４５の表面に細かい凹凸を形成してもよい。この場合、凹凸の凸部の先端部の高さは同じになるように形成することで、第２支持部４５の下面（凸部の先端部をつなぐ仮想的な面）が平面状になるようにしてよい。これらの凹凸によって、第２支持部４５の下面と蓋部７０の第１の主面７１または載置面Ｐとの間の摩擦力を増大することができる。特に、蓋部７０の第１の主面７１または載置面Ｐが細かい凹凸を有する場合には、摩擦力を増大させる効果が大きい。さらに、機器として正面に液晶表示パネルを有する電子辞書を例示したが、携帯電話等の携帯端末や、液晶表示パネルが無いラジオ等であっても、同様に適用できるのは勿論である。この他、本発明の要旨を逸脱しない範囲で種々変形実施可能であるのは勿論である。
【００２６】
本発明の一実施形態を説明したが、本発明は特許請求の範囲に記載された発明とその均等の範囲に含まれる。以下に、本願出願の当初の特許請求の範囲に記載された発明を付記する。
［付記１］
機器の保護ケースであって、
前記保護ケースが前記機器へ装着された状態で前記機器の背面の一部を覆う被覆部と、
前記機器が載置される載置面に対して当該機器を支持するときに、前記機器が前記載置面に対して立ち上がるように前記機器を支持する第１支持部と、
前記載置面側の面が平面状に形成された平面状部を有し、前記機器を支持するときに、当該機器の下端部と前記載置面との間に介在して、前記平面状部の前記載置面側の面が前記載置面と略平行になるように前記機器を支持する第２支持部と、を備える保護ケース。
［付記２］
前記第１支持部の一端側は、前記被覆部に対して回動可能に接続されている［付記１］に記載の保護ケース。
［付記３］
前記第１支持部の一端側と前記被覆部との間には、第１可撓部が設けられている［付記１］に記載の保護ケース。
［付記４］
前記保護ケースが前記機器へ装着された状態で前記機器の正面の少なくとも一部を覆う位置へ設置可能であり、かつ、前記第１支持部の他端側に回動可能に接続された蓋部をさらに備える［付記１］に記載の保護ケース。
［付記５］
前記蓋部は、前記第１支持部によって前記機器が前記載置面に対して支持されている状態で、前記第２支持部と前記載置面との間に介在可能に設けられている［付記４］に記載の保護ケース。
［付記６］
前記第１支持部の他端側と前記蓋部との間に第２可撓部が介在する［付記４］に記載の保護ケース。
［付記７］
機器の保護ケースであって、
前記保護ケースが前記機器へ装着された状態で前記機器の背面の一部を覆う保持部を含み、前記保持部に開口部が形成された第１被覆部と、
前記第１被覆部の前記開口部内にその一部が配置され、前記第１被覆部に第１可撓部を介して接続された第２被覆部と、
前記第２被覆部に第２可撓部を介して回動可能に接続された蓋部を備え、
前記第１被覆部の厚みと前記第２被覆部の厚みとが略同一である保護ケース。
［付記８］
前記保持部は、前記機器の下端面をさらに覆う下端面保持部を有し、前記開口部が前記下端面保持部まで延在して形成されている［付記７］に記載の保護ケース。
［付記９］
前記下端面保持部の厚みは、前記第２可撓部の厚みと、略同一に形成されている［付記８］に記載の保護ケース。
［付記１０］
前記保護ケースが前記機器へ装着された状態で前記蓋部を前記機器の正面に対向させて配置させた際、前記第２可撓部のうち前記機器と対向する部分の少なくとも一部が、前記機器の前記下端面に当接する［付記９］に記載の保護ケース。
［付記１１］
前記保護ケースが前記機器へ装着された状態で前記蓋部を前記機器の正面に対向させて配置させた際、前記第２被覆部および前記第２可撓部は、前記機器の側面視において前記第１被覆部に重なり合う寸法である［付記９］に記載の保護ケース。
【符号の説明】
【００２７】
１０，１０Ａ…保護ケース、２０…ケース本体（被覆部／背面保持部）、３０…背面部（第１被覆部）、３１…開口部，３１Ａ…開口部、３２…差込部、３３…リブ、４０…外縁壁部、４２…下縁壁部（下端面保持部）、４５…第２支持部、５０，５０Ａ…可動支持板、６０，６０Ａ…第１支持部（第２被覆部）、６３…第１可撓部、６４…第２可撓部、７０…蓋部、１００…電子辞書（機器）、１１０…筐体、１１１…下端部、１２０…液晶表示パネル、１３０…スピーカ、１４０，１５０，１６０…操作スイッチ。
【図１】
2019054097.tif 000003
【図２】
2019054097.tif 000004
【図３】
2019054097.tif 000005
【図４】
2019054097.tif 000006
【図５】
2019054097.tif 000007
【図６】
2019054097.tif 000008
【図７】
2019054097.tif 000009
【図８】
2019054097.tif 000010
【図９】
2019054097.tif 000011